【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
特定の情報をネットワークを介して送信する特定情報送信手段と、
前記特定の情報に基づき送信された公開鍵をネットワークを介して受信する公開鍵受信手段と、
前記公開鍵受信手段により受信した公開鍵を保存する保存手段と、
印刷データと、当該印刷データに対応する暗号化された暗号データとを受信する受信手段と、
前記受信手段により受信した暗号データを前記保存手段により保存されている公開鍵で復号化する復号化手段と、
前記復号化手段により復号化した後のデータが所定のものである場合、前記受信手段により受信した印刷データを印刷する印刷手段と
を有し、
前記印刷手段は、前記復号化手段により復号化した後のデータが所定のものでない場合、前記受信手段により受信した印刷データを印刷しないことを特徴とする画像形成装置。
【請求項２】
前記受信手段により受信した印刷データに署名データが付加されている場合には、前記署名データの検証を行うべく前記復号化手段は公開鍵を用いて署名データを復号化し、
前記印刷手段は、当該署名データが適切なものである場合には前記印刷データを印刷することを特徴とする請求項１記載の画像形成装置。
【請求項３】
前記印刷手段は、前記受信手段により受信した印刷データに署名データが付加されていない場合及び前記署名データが適切なものでない場合には、前記印刷データを印刷しないことを特徴とする請求項２記載の画像形成装置。
【請求項４】
前記印刷手段は、前記受信手段により受信した印刷データに、ユーザによる画像形成装置の使用を制限するためのアクセスコントロールデータが付加されている場合には、アクセスコントロールデータに従って前記印刷データを印刷し、前記受信手段により受信した印刷データにアクセスコントロールデータが付加されていないときには前記印刷データを印刷しないことを特徴とする請求項１〜３のいずれか１項に記載の画像形成装置。
【請求項５】
前記印刷手段が前記印刷データを印刷しない場合にはその旨を表示又は送信する通知手段を有することを特徴とする請求項１〜４のいずれか１項に記載の画像形成装置。
【請求項６】
前記特定の情報は、画像形成装置を識別する情報又は画像形成装置の電子鍵を含むことを特徴とする請求項１〜５のいずれか１項に記載の画像形成装置。
【請求項７】
情報処理装置であって、
画像形成装置が送信する特定の情報をネットワークを介して受信する特定情報受信手段と、
前記特定情報受信手段により受信した特定の情報を解析する解析手段と、
前記解析手段による解析の結果に従って、前記情報処理装置の公開鍵を画像形成装置にネットワークを介して送信する公開鍵送信手段と
を有することを特徴とする情報処理装置。
【請求項８】
画像形成装置、第１の情報処理装置及び第２の情報処理装置がネットワークを介して接続される画像形成システムであって、
前記画像形成装置は、
特定の情報を前記第１の情報処理装置に送信する特定情報送信手段と、
前記第１の情報処理装置から公開鍵を受信する公開鍵受信手段と、
前記公開鍵受信手段により受信した公開鍵を保存する保存手段と、
印刷データと、当該印刷データに対応する暗号化された暗号データとを前記第２の情報処理装置から受信する受信手段と、
前記受信手段により受信した暗号データを前記保存手段により保存されている公開鍵を用いて復号化する復号化手段と、
前記復号化手段により復号化した後のデータが所定のものである場合、前記受信手段により受信した印刷データを印刷する印刷手段とを有し、
前記第１の情報処理装置は、
前記画像形成装置から特定の情報を受信する特定情報受信手段と、
前記受信した特定の情報を解析する解析手段と、
前記解析手段による解析の結果に応じて、前記第１の情報処理装置の公開鍵を前記画像形成装置に送信する公開鍵送信手段とを有し、
前記第２の情報処理装置は、
印刷データと、当該印刷データに対応する暗号化された暗号データとを前記画像形成装置に送信する送信手段を有することを特徴とする画像形成システム。
【請求項９】
前記第２の情報処理装置は、
印刷データを生成する印刷データ生成手段と、
ユーザによる前記画像形成装置の使用を制限するためのアクセスコントロールデータを求める要求を前記第１の情報処理装置に送信する生成要求送信手段と、
前記第１の情報処理装置からアクセスコントロールデータ及び署名データを受信するアクセスコントロールデータ受信手段と、
前記印刷データと前記アクセスコントロールデータと前記署名データとを前記画像形成装置へ送信する印刷データ送信手段とを有し、
前記第１の情報処理装置は、
前記第２の情報処理装置からの前記アクセスコントロールデータを求める要求に従って、アクセスコントロールデータ及び公開鍵に対応する秘密鍵で暗号化された署名データを、前記第２の情報処理装置に送信するアクセスコントロールデータ送信手段を有し、
前記第２の情報処理装置から受信した印刷データに署名データが付加されている場合には、前記公開鍵を用いて前記署名データの検証を行うべく前記復号化手段は公開鍵を用いて署名データを復号化し、当該署名データが適切なものである場合には、前記印刷手段は前記印刷データを印刷することを特徴とする請求項８記載の画像形成システム。
【請求項１０】
前記画像形成装置の印刷手段は、前記第２の情報処理装置から受信した印刷データに署名データが付加されていない場合及び前記署名データが適切なものでない場合には、前記印刷データを印刷しないことを特徴とする請求項９記載の画像形成システム。
【請求項１１】
前記画像形成装置の印刷手段は、前記第２の情報処理装置から受信した印刷データに、ユーザによる前記画像形成装置の使用を制限するためのアクセスコントロールデータが付加されている場合には、当該アクセスコントロールデータに従って前記印刷データを印刷し、前記第２の情報処理装置から受信した印刷データにアクセスコントロールデータが付加されていない場合には、前記印刷データを印刷しないことを特徴とする請求項９又は１０記載の画像形成システム。
【請求項１２】
特定の情報をネットワークを介して送信する特定情報送信ステップと、
前記特定の情報に基づき送信された公開鍵をネットワークを介して受信する公開鍵受信ステップと、
前記受信した公開鍵を保存する保存ステップと、
印刷データと、当該印刷データに対応する暗号化された暗号データとを受信する受信ステップと、
前記受信ステップで受信した暗号データを前記保存ステップにより保存されている公開鍵を用いて復号化する復号化ステップと、
前記復号化ステップで復号化した後のデータが所定のものである場合、前記受信ステップで受信した印刷データを印刷する印刷ステップと
を有することを特徴とする画像形成方法。
【請求項１３】
画像形成装置が送信する特定の情報をネットワークを介して受信する特定情報受信ステップと、
前記特定情報受信ステップで受信した特定の情報を解析する解析ステップと、
前記解析ステップでの解析の結果に応じて、公開鍵を前記画像形成装置にネットワークを介して送信する公開鍵送信ステップと
を有することを特徴とする情報処理方法。
【請求項１４】
画像形成装置が送信する特定の情報をネットワークを介して受信する特定情報受信ステップと、
前記特定情報受信ステップで受信した特定の情報を解析する解析ステップと、
前記解析ステップでの解析の結果に応じて、公開鍵を前記画像形成装置にネットワークを介して送信する公開鍵送信ステップと
をコンピュータに実行させるためのプログラム。
【請求項１５】
情報処理装置により送信された情報に従ってアクセスコントロールをする画像形成装置であって、
特定の情報をネットワークを介して送信する特定情報送信手段と、
前記特定の情報に基づき送信された、ユーザによる前記画像形成装置の使用を制限するのに必要な情報をネットワークを介して受信する受信手段と、
前記受信手段により受信した情報を保存する保存手段とを有することを特徴とする画像形成装置。
【手続補正２】
【補正対象書類名】明細書
【補正対象項目名】０００９
【補正方法】変更
【補正の内容】
【０００９】
本発明の画像形成装置は、特定の情報をネットワークを介して送信する特定情報送信手段と、前記特定の情報に基づき送信された公開鍵をネットワークを介して受信する公開鍵受信手段と、前記公開鍵受信手段により受信した公開鍵を保存する保存手段と、印刷データと、当該印刷データに対応する暗号化された暗号データとを受信する受信手段と、前記受信手段により受信した暗号データを前記保存手段により保存されている公開鍵で復号化する復号化手段と、前記復号化手段により復号化した後のデータが所定のものである場合、前記受信手段により受信した印刷データを印刷する印刷手段とを有し、前記印刷手段は、前記復号化手段により復号化した後のデータが所定のものでない場合、前記受信手段により受信した印刷データを印刷しないことを特徴とする。
【手続補正３】
【補正対象書類名】明細書
【補正対象項目名】００１０
【補正方法】変更
【補正の内容】
【００１０】
本発明の情報処理装置は、情報処理装置であって、画像形成装置が送信する特定の情報をネットワークを介して受信する特定情報受信手段と、前記特定情報受信手段により受信した特定の情報を解析する解析手段と、前記解析手段による解析の結果に従って、前記情報処理装置の公開鍵を画像形成装置にネットワークを介して送信する公開鍵送信手段とを有することを特徴とする。
【手続補正４】
【補正対象書類名】明細書
【補正対象項目名】００１１
【補正方法】変更
【補正の内容】
【００１１】
本発明の画像形成システムは、画像形成装置、第１の情報処理装置及び第２の情報処理装置がネットワークを介して接続される画像形成システムであって、前記画像形成装置は、特定の情報を前記第１の情報処理装置に送信する特定情報送信手段と、前記第１の情報処理装置から公開鍵を受信する公開鍵受信手段と、前記公開鍵受信手段により受信した公開鍵を保存する保存手段と、印刷データと、当該印刷データに対応する暗号化された暗号データとを前記第２の情報処理装置から受信する受信手段と、前記受信手段により受信した暗号データを前記保存手段により保存されている公開鍵を用いて復号化する復号化手段と、前記復号化手段により復号化した後のデータが所定のものである場合、前記受信手段により受信した印刷データを印刷する印刷手段とを有し、前記第１の情報処理装置は、前記画像形成装置から特定の情報を受信する特定情報受信手段と、前記受信した特定の情報を解析する解析手段と、前記解析手段による解析の結果に応じて、前記第１の情報処理装置の公開鍵を前記画像形成装置に送信する公開鍵送信手段とを有し、前記第２の情報処理装置は、印刷データと、当該印刷データに対応する暗号化された暗号データとを前記画像形成装置に送信する送信手段を有することを特徴とする。
【手続補正５】
【補正対象書類名】明細書
【補正対象項目名】００１２
【補正方法】変更
【補正の内容】
【００１２】
本発明の画像形成方法は、特定の情報をネットワークを介して送信する特定情報送信ステップと、前記特定の情報に基づき送信された公開鍵をネットワークを介して受信する公開鍵受信ステップと、前記受信した公開鍵を保存する保存ステップと、印刷データと、当該印刷データに対応する暗号化された暗号データとを受信する受信ステップと、前記受信ステップで受信した暗号データを前記保存ステップにより保存されている公開鍵を用いて復号化する復号化ステップと、前記復号化ステップで復号化した後のデータが所定のものである場合、前記受信ステップで受信した印刷データを印刷する印刷ステップとを有することを特徴とする。
【手続補正６】
【補正対象書類名】明細書
【補正対象項目名】００１３
【補正方法】変更
【補正の内容】
【００１３】
本発明の情報処理方法は、画像形成装置が送信する特定の情報をネットワークを介して受信する特定情報受信ステップと、前記特定情報受信ステップで受信した特定の情報を解析する解析ステップと、前記解析ステップでの解析の結果に応じて、公開鍵を前記画像形成装置にネットワークを介して送信する公開鍵送信ステップとを有することを特徴とする。
本発明のプログラムは、画像形成装置が送信する特定の情報をネットワークを介して受信する特定情報受信ステップと、前記特定情報受信ステップで受信した特定の情報を解析する解析ステップと、前記解析ステップでの解析の結果に応じて、公開鍵を前記画像形成装置にネットワークを介して送信する公開鍵送信ステップとをコンピュータに実行させるためのプログラムである。
【手続補正７】
【補正対象書類名】明細書
【補正対象項目名】００１４
【補正方法】変更
【補正の内容】
【００１４】
本発明の画像形成装置は、情報処理装置により送信された情報に従ってアクセスコントロールをする画像形成装置であって、特定の情報をネットワークを介して送信する特定情報送信手段と、前記特定の情報に基づき送信された、ユーザによる前記画像形成装置の使用を制限するのに必要な情報をネットワークを介して受信する受信手段と、前記受信手段により受信した情報を保存する保存手段とを有することを特徴とする。